(57)【要約】【課題】記録媒体が未挿入である場合に報知して、携帯端末装置の機能を制限することなく活用できるようにする。【解決手段】携帯端末１のＣＰＵ１１は、外部記録媒体Ｍが着脱される度に、着脱状態を記憶装置１６内のメディアフラグに記憶する。また、ＣＰＵ１１は、メディア未挿入報知処理において、携帯電話１が充電器２から外された場合、又は電源をＯＦＦからＯＮに切り替える指示が入力部１２を介して入力された場合に、メディアフラグを参照して外部記録媒体Ｍが携帯電話１に挿入されていなければ、未挿入であることを報知する。【選択図】　　　　　図１
2004023612.tif 000002
【特許請求の範囲】
【請求項１】
記録媒体を着脱する着脱手段を備えた携帯端末装置において、
前記記録媒体の着脱状態を検出する検出手段と、
前記検出手段により検出された記録媒体の着脱状態を報知する報知手段と、
を備えることを特徴とする携帯端末装置。
【請求項２】
充電器に接続する接続手段と、
電源のＯＮ／ＯＦＦを切り替える切替手段と、
前記検出手段により検出された記録媒体の着脱状態を記憶する記憶手段と、
を備え、
前記報知手段は、前記接続手段が前記充電器に接続された状態から非接続の状態に変化したとき、又は前記切替手段により電源がＯＦＦからＯＮに切り替えられたときの少なくとも一方において、前記記憶手段に記憶された記録媒体の着脱状態を読み出して報知することを特徴とする請求項１記載の携帯端末装置。
【請求項３】
前記接続手段が前記充電器に接続された状態から非接続の状態に変化したときに、前記切替手段がＯＦＦであればＯＮに切り替えさせる制御手段を備えることを特徴とする請求項２記載の携帯端末装置。
【発明の詳細な説明】
【０００１】
【発明の属する技術分野】
本発明は、携帯端末装置に関する。
【０００２】
【従来の技術】
近時、無線通信機能を備えた携帯端末装置が急速に普及していると同時に高性能化している。現在、ヨーロッパを中心に利用されている無線通信方式の一つであるＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎｓ）では、ＳＩＭ（Ｓｕｂｓｃｒｉｂｅｒ　Ｉｄｅｎｔｉｔｙ　Ｍｏｄｕｌｅ）を採用している。また、第三世代携帯電話の標準規格であるＩＭＴ−２０００では、異なる携帯電話間でＵＳＩＭ（Ｕｎｉｖｅｒｓａｌ　Ｓｕｂｓｃｒｉｂｅｒ　Ｉｄｅｎｔｉｔｙ　Ｍｏｄｕｌｅ）の利用が可能となる。ＳＩＭとは、契約者情報を記録したＩＣカードであり、携帯端末装置の本体に着脱可能であり、一人のユーザが一つの加入権で複数の携帯端末装置を保持することができる。ＵＳＩＭは、従来のＳＩＭの機能が拡張されたものであり、Ｅ−ｍａｉｌアドレスや画像データを登録することも可能にする。
【０００３】
このため、近い将来、一人のユーザがバリエーションに富んだ複数の携帯端末装置を所有し、それらをＴＰＯに応じて使用するようになることが予想される。
【０００４】
【発明が解決しようとする課題】
しかしながら、一人のユーザが複数の携帯端末装置を所有し、ＳＩＭカードやＵＳＩＭカードなどの記録媒体を差し替えて使用する環境においては、記録媒体が挿入されていないことにユーザが気付かずに携帯端末装置を携帯してしまう可能性がある。このような場合に、例えばＷ−ＣＤＭＡ仕様の携帯端末装置においては、ＳＩＭカードが挿入されていないと警察や消防署などの緊急を要する場所以外への電話やメールなど、通信を伴うメニューの大部分が機能せず、携帯端末装置の使用が大幅に制限される。そのため、ユーザは携帯端末装置とともに必ず記録媒体を携帯する必要がある。
【０００５】
本発明の課題は、記録媒体が未挿入である場合に報知して、携帯端末装置の機能を制限することなく活用できるようにすることである。
【０００６】
【課題を解決するための手段】
このような課題を解決するため、本発明は、記録媒体を着脱する着脱手段を備えた携帯端末装置において、
前記記録媒体の着脱状態を検出する検出手段と、
前記検出手段により検出された記録媒体の着脱状態を報知する報知手段と、
を備えることを特徴としている。
【０００７】
更に本発明は、充電器に接続する接続手段と、電源のＯＮ／ＯＦＦを切り替える切替手段と、前記検出手段により検出された記録媒体の着脱状態を記憶する記憶手段とを備え、前記報知手段は、前記接続手段が前記充電器に接続された状態から非接続の状態に変化したとき、又は前記切替手段により電源がＯＦＦからＯＮに切り替えられたときの少なくとも一方において、前記記憶手段に記憶された記録媒体の着脱状態を読み出して報知することが好ましい。
【０００８】
更に本発明は、前記接続手段が前記充電器に接続された状態から非接続の状態に変化したときに、前記切替手段がＯＦＦであればＯＮに切り替えさせる制御手段を備えることが好ましい。
【０００９】
【発明の実施の形態】
以下、図１及び図２を参照して、本発明を適用した一実施の形態による携帯電話１について説明する。
【００１０】
まず、構成を説明する。
図１は、本発明の一実施の形態による携帯電話１の機能的構成を示すブロック図である。図１に示すように、携帯電話１は、ＣＰＵ１１、入力部１２、表示部１３、無線通信制御部１４、ＲＡＭ１５、記憶装置１６、送受話部１７、Ｉ／Ｆ１８、充電端子１９、電源制御部２０により構成され、各部は相互にデータの送受信が可能なようにバス２１により接続されている。また、携帯電話１は、充電端子１９を介して図示しない充電器２に着脱される。
【００１１】
ＣＰＵ（Ｃｅｎｔｒａｌ　Ｐｒｏｃｅｓｓｉｎｇ　Ｕｎｉｔ）１１は、入力部１２や無線通信制御部１４から入力される指示に応じて、記憶装置１５に格納された携帯端末用の各種処理プログラムに従って各種の制御動作を行う。具体的には、ＣＰＵ１１は、後述するメディア未挿入報知処理を実行する。
【００１２】
ＣＰＵ１１は、外部記録媒体Ｍが装着されているか否かを示す信号がＩ／Ｆ１８から入力され、この入力信号に基づいて外部記録媒体Ｍの着脱状態を記憶装置１６内のメディアフラグに記憶する。メディアフラグは、外部記録媒体Ｍの着脱状態を示すフラグであり、ＣＰＵ１１は、携帯端末装置１に外部記録媒体Ｍが挿入されていれば「１」、挿入されていなければ「０」に設定する。
【００１３】
メディア未挿入報知処理において、ＣＰＵ１１は、携帯電話１が充電器２から外されたことを示す信号が充電端子１９から入力された場合、又は携帯電話１の電源がＯＦＦからＯＮに切り替えられた場合に、メディアフラグを参照して、メディアフラグが「０」であれば外部記録媒体Ｍが未挿入であることを報知する。
【００１４】
また、ＣＰＵ１１は、メディア未挿入報知処理において、Ｉ／Ｆ１８からの入力信号に基づいて携帯電話１が充電器２から外されたと判断した場合に、携帯電話１の電源がＯＦＦであれば電源制御部２０を制御してＯＮに切り替える。これにより、表示部１３や送受話部１７を用いて外部記録装置が未挿入であることを報知することが可能となる。
【００１５】
具体的には、ＣＰＵ１１は、送受話部１７を介して警告音を発音するとともに、表示部１３に外部記録媒体Ｍが未挿入であることを示すメッセージ又はアイコンを表示し、表示部１３のＬＥＤを点滅させることによって、外部記録媒体Ｍの未挿入状態を報知する。また、ＣＰＵ１１は、Ｉ／Ｆ１８からの入力信号により外部記録媒体Ｍが装着されたことを検出すると、メディアフラグを「１」に設定して表示部１３及び送受話部１７による報知を終了する。
【００１６】
入力部１２は、電源のＯＮ／ＯＦＦ、機能の選択、文字や数字の入力、電話、メールの送受信、指示切替などを指示する各種操作ボタンを備えて構成され、これら各種操作ボタンは、単独で、又は組み合わせて押下されることにより、指示内容に応じた入力信号をＣＰＵ１１に出力する。
【００１７】
表示部１３は、ＬＣＤ（Ｌｉｑｕｉｄ　Ｃｒｙｓｔａｌ　Ｄｉｓｐｌａｙ）パネル等により構成され、ＣＰＵ１１から入力される表示データに基づいて画面表示を行う。また、表示部１３は、図示しないＬＥＤ（Ｌｉｇｈｔ　Ｅｍｉｔｔｉｎｇ　Ｄｉｏｄｅ）を含み、このＬＥＤは、点灯又は消灯することにより携帯電話１の電源のＯＮ／ＯＦＦ状態を示すとともに、点滅することによって外部記録端末Ｍが未挿入であることを報知する。
【００１８】
無線通信制御部１４は、アンテナ１４１を有しており、ＣＰＵ１１から入力される指示に従って、基地局（図示省略）との間でＩＭＴ−２０００準拠の通信方式（例えば、Ｗ−ＣＤＭＡやｃｄｍａ２０００）に対応する携帯端末用の通信プロトコルを実行し、この通信方式で設定される通信チャネルにより、送受話音声の送受信やデータ通信を実行する。
【００１９】
ＲＡＭ（Ｒａｎｄｏｍ　Ａｃｃｅｓｓ　Ｍｅｍｏｒｙ）１５は、ＣＰＵ１１によるメディア未挿入報知処理に際して記憶装置１６から読み出されたプログラム、入力もしくは出力データなどを一時的に格納するワークメモリを有する。
【００２０】
記憶装置１６は、ＣＰＵ１１により実行される携帯端末用の各種アプリケーションプログラムや通信処理プログラム、及びその処理プログラムで処理されたデータ等を記憶する。具体的には、記憶装置１６は、ＣＰＵ１１によるメディア未挿入放置処理において使用されるメディア未挿入放置処理プログラムを記憶する。また、この記憶装置１６は、ＡＳＣＩＩコード等のフォントデータや、音声データや画像データを圧縮・伸長するプログラムを記憶する。この他に、記憶装置１６は、ＣＰＵ１１によるメディア未挿入報知処理に使用されるメディアフラグを記憶している。
【００２１】
送受話部１７は、マイク、スピーカー、Ａ／Ｄ変換部、及びＤ／Ａ変換部を有し、マイクから入力されるユーザの送話音声をＡ／Ｄ変換処理して、その送話音声データをＣＰＵ１１に出力するとともに、ＣＰＵ１１から入力される受話音声データをＤ／Ａ変換処理して、受話音声としてスピーカーから出力する。
【００２２】
Ｉ／Ｆ１８は、外部記録媒体Ｍに接続するためのインターフェイスであり、携帯電話１と外部記録媒体Ｍとの間で、データ形式の変換などを行うことにより両者間のデータの授受を仲介する。Ｉ／Ｆ１８は、外部記録媒体Ｍとの接続状態を示す信号を常時ＣＰＵ１１に出力している。
【００２３】
充電端子１９は、図示しない充電器２と接続するためのインターフェースであり、充電器２から携帯電話１への電力供給を仲介する。充電端子１９は、充電器２との接続状態を示す信号を常時ＣＰＵ１１に出力している。
【００２４】
電源制御部２０は、入力部１２からの入力信号に従って、携帯電話１の電源のＯＮ／ＯＦＦ設定を切り替える。
【００２５】
外部記録媒体Ｍは、携帯電話１に着脱可能な記録媒体である。外部記録媒体Ｍとしては、例えば、ユーザに関する情報、複数の電話番号を有する電話帳、クレジット決済用の個人識別情報などを記録したＳＩＭ（Ｓｕｂｓｃｒｉｂｅｒ　Ｉｄｅｎｔｉｔｙ　Ｍｏｄｕｌｅ）カードを使用できる。また、この他に、ＵＳＩＭ（Ｕｎｉｖｅｒｓａｌ　Ｓｕｂｓｃｒｉｂｅｒ　Ｉｄｅｎｔｉｔｙ　Ｍｏｄｕｌｅ）カード、ＵＩＭ（Ｕｓｅｒ　Ｉｄｅｎｔｉｔｙ　Ｍｏｄｕｌｅ）カードなどを用いることもできる。
【００２６】
次に、動作を説明する。
図２は、メディア未挿入報知処理を示すフローチャートである。図２に示すように、ＣＰＵ１１は、充電端子１９からの入力信号に基づき、携帯電話１が充電器２から外されて充電が中断されたか否かを判別する（ステップＳ１）。
【００２７】
充電が中断されない場合には（ステップＳ１；ＮＯ）、電源をＯＦＦからＯＮに切り替える指示が入力部１２から入力されたか否かを判別し（ステップＳ２）、入力がなければ（ステップＳ２；ＮＯ）、ステップＳ１に戻り、電源をＯＮに切り替える指示が入力されると（ステップＳ２；ＹＥＳ）、電源制御部２０により電源をＯＮに切り替える（ステップＳ４）。
【００２８】
一方、ＣＰＵ１１は、上記ステップＳ１において充電が中断されたと判別すると（ステップＳ１；ＹＥＳ）、電源がＯＦＦであるか否かを判別し（ステップＳ３）、電源がＯＦＦであれば（ステップＳ３；ＹＥＳ）、電源制御部２０により電源をＯＮに切り替えて（ステップＳ４）、ステップＳ５に移行する。また、ステップＳ３において電源がＯＮであれば（ステップＳ３；ＮＯ）、そのままステップＳ５に移行する。
【００２９】
次いで、ＣＰＵ１１は、記憶装置１６に記憶されたメディアフラグを参照して、外部記録媒体Ｍが挿入されているか否かを判別する（ステップＳ５）。ＣＰＵ１１は、メディアフラグが「１」の場合、即ち外部記録媒体Ｍが挿入されている場合には（ステップＳ５；ＹＥＳ）、そのままメディア未挿入報知処理を終了する。一方、メディアフラグが「０」の場合、即ち外部記録媒体Ｍが挿入されていない場合には（ステップＳ５；ＮＯ）、表示部１３のＬＥＤを点灯させ、表示部１３に外部記録媒体Ｍが未挿入であること表示し、送受話部１７から警告音を発音する（ステップＳ６）。
【００３０】
次いで、ＣＰＵ１１は、Ｉ／Ｆ１８からの入力信号の変化を監視する（ステップＳ７）。ＣＰＵ１１は、Ｉ／Ｆ１８からの入力信号に変化がなければ（ステップＳ７；ＮＯ）、待機を続け、Ｉ／Ｆ１８からの入力信号が変化したことにより外部記録媒体Ｍが挿入されたと判断すると（ステップＳ７；ＹＥＳ）、記憶装置１６のメディアフラグを「１」に設定し（ステップＳ８）、表示部１３及び送受話部１７による報知を終了して（ステップＳ９）、メディア未挿入報知処理を終了する。
【００３１】
以上説明したように、携帯端末１のＣＰＵ１１は、外部記録媒体Ｍが着脱される度に、着脱状態を記憶装置１６内のメディアフラグに記憶する。また、ＣＰＵ１１は、メディア未挿入報知処理において、携帯電話１が充電器２から外された場合、又は電源をＯＦＦからＯＮに切り替える指示が入力部１２を介して入力された場合に、メディアフラグを参照して外部記録媒体Ｍが携帯電話１に挿入されていなければ、未挿入であることを報知する。
【００３２】
したがって、本発明によれば、携帯端末の電源がＯＦＦの場合にも、外部記録媒体が未挿入であれば電源をＯＮにして報知することができる。これにより、外部記録端末を装着せずに携帯端末が携帯されることを防止して、外出先でも携帯端末の機能を制限することなく利用可能とする。
【００３３】
なお、本発明は、上記実施の形態に限定されるものではなく、本発明の趣旨を逸脱しない範囲で適宜変更可能である。例えば、上記実施の形態では、携帯端末として携帯電話を用いて説明したが、携帯型のＭＤ（Ｍｉｎｉ　Ｄｉｓｃ）やＣＤ（Ｃｏｍｐａｃｔ　Ｄｉｓｃ）などの再生装置に本発明の報知方法を適用することにより、ＭＤやＣＤが挿入されていない状態で携帯されることを未然に防ぐことができる。
【００３４】
また、上記実施の形態では、画面表示や音声により情報記録媒体が未挿入であることを報知する例を説明したが、例えば携帯電話１にバイブレーション機能を付加してバイブレーションにより報知することもできる。
【００３５】
更に、本実施の形態に示したメディア未挿入報知機能を任意にＯＮ／ＯＦＦ設定できるようにしてもよい。
【００３６】
その他、本実施の形態における携帯電話１の細部構成、及び詳細動作に関しても、本発明の趣旨を逸脱しない範囲で適宜変更可能である。
【００３７】
【発明の効果】
本発明を適用した携帯端末装置によれば、携帯端末装置の電源がＯＦＦの場合にも、記録媒体が未挿入であれば報知することができる。これにより、記録媒体を装着せずに携帯端末装置が携帯されることを防止して、外出先でも携帯端末装置の機能を制限することなく利用可能にすることができる。
【図面の簡単な説明】
【図１】本発明の一実施の形態による携帯電話１の機能的構成を示すブロック図である。
【図２】図１のＣＰＵ１１によるメディア未挿入報知処理を示すフローチャートである。
【符号の説明】
１　　携帯電話
２　　充電器
１１　ＣＰＵ
１２　入力部
１３　表示部
１４　無線通信制御部
１５　ＲＡＭ
１６　記憶装置
１７　送受話部
１８　Ｉ／Ｆ
１９　充電端子
２０　電源制御部
２１　バス
１４１　アンテナ
【図１】
2004023612.tif 000003
【図２】
2004023612.tif 000004